(57)【要約】【課題】  複数の管理対象装置が同時にファイルサーバとの間でファイルをダウンロード／アップロードすることを可能とし、また人為的なミスをなくし柔軟性に富んだファイル転送方式を得る。【解決手段】  ＮＭＳ101 が複数の管理対象装置106 を管理する際に伴うソフトウェアやログファイル等のファイル転送をなす場合、ファイル転送に必要な全てのパラメータ情報（サーバＩＰアドレス、転送ファイル名）をＮＭＳから指示し、また複数の管理対象装置に対して同時にファイル転送を行う。管理対象装置はＮＭＳからのファイル転送開始指示に応答して指定された内容に従いファイルサーバに対し指定ファイルのダウンロードやアップロードを行う。ＮＭＳは管理対象装置からのファイル転送開始指示応答を受信してファイル転送状態取得を定期的に送信し、管理対象装置からのファイル転送状態取得応答の内容が成功を意味するものである時ファイル転送完了と判断する。【選択図】      図１
2006221291.tif 000002
【特許請求の範囲】
【請求項１】
ネットワーク管理装置と、ファイルサーバと、管理対象装置とがネットワークにより相互接続されたネットワーク管理システムにおけるファイル転送システムであって、
前記ネットワーク管理装置において、ファイル転送開始指示を送出する手段と、
前記管理対象装置において、前記ファイル転送開始指示の受信に応答して前記指示により指定された内容に従って前記ファイルサーバとの間でファイルの転送をなす手段と、
を含むことを特徴とするファイル転送システム。
【請求項２】
前記管理対象装置において、ファイル転送開始通知を送出する手段を更に含み、
前記ネットワーク管理装置において、前記ファイル転送開始通知の受信に応答して前記ファイル転送開始指示を送出するようにしたことを特徴する請求項１記載のファイル転送システム。
【請求項３】
前記管理対象装置において、前記ファイル転送開始指示に応答してファイル転送開始応答を送出する手段と、
前記ネットワーク管理装置において、前記ファイル転送開始応答を受信後に、ファイル転送状態の取得指令を定期的に送出する手段と、
前記管理対象装置において、前記取得指令に対する応答を生成し、ファイル転送が終了した場合に、ファイル転送成功を示す応答を送出する手段と、
を更に含むことを特徴とする請求項１または２記載のファイル転送システム。
【請求項４】
前記ファイル転送開始指示には、前記ファイルサーバのアドレス、対象ファイル名、アップロード／ダウンロードの指定を、少なくとも含むことを特徴とする請求項１〜３いずれか記載のファイル転送システム。
【請求項５】
前記ファイル転送開始指示には、ファイル転送開始日時を有するスケジュール情報が含まれていることを特徴とする請求項４記載のファイル転送システム。
【請求項６】
前記ファイルサーバは前記ネットワーク管理装置内に含まれていることを特徴とする請求項１〜５いずれか記載のファイル転送システム。
【請求項７】
ネットワーク管理装置と、ファイルサーバと、管理対象装置とがネットワークにより相互接続されたネットワーク管理システムにおけるファイル転送方法であって、
前記ネットワーク管理装置において、ファイル転送開始指示を送出するステップと、
前記管理対象装置において、前記ファイル転送開始指示の受信に応答して前記指示により指定された内容に従って前記ファイルサーバとの間でファイルの転送をなすステップと、
を含むことを特徴とするファイル転送方法。
【請求項８】
前記管理対象装置において、ファイル転送開始通知を送出するステップと、
前記ネットワーク管理装置において、前記ファイル転送開始通知の受信に応答して前記ファイル転送開始指示を送出するステップと、
を更に含むことを特徴する請求項７記載のファイル転送方法。
【請求項９】
前記管理対象装置において、前記ファイル転送開始指示に応答してファイル転送開始応答を送出するステップと、
前記ネットワーク管理装置において、前記ファイル転送開始応答を受信後に、ファイル転送状態の取得指令を定期的に送出するステップと、
前記管理対象装置において、前記取得指令に対する応答を生成し、ファイル転送が終了した場合に、ファイル転送成功を示す応答を送出するステップと、
を更に含むことを特徴とする請求項７または８記載のファイル転送方法。
【請求項１０】
前記ファイル転送開始指示には、前記ファイルサーバのアドレス、対象ファイル名、アップロード／ダウンロードの指定を、少なくとも含むことを特徴とする請求項７〜９いずれか記載のファイル転送方法。
【請求項１１】
前記ファイル転送開始指示には、ファイル転送開始日時を有するスケジュール情報が含まれていることを特徴とする請求項１０記載のファイル転送方法。
【請求項１２】
ファイルサーバと管理対象装置との間でネットワークを介してファイル転送をなすようにしたネットワーク管理システムにおけるネットワーク管理装置であって、
前記ファイルサーバのアドレス、対象ファイル名、アップロード／ダウンロードの指定を、少なくとも有するファイル転送開始指示を、前記管理対象装置へ前記ネットワークを介して送出する手段を含むことを特徴とするネットワーク管理装置。
【請求項１３】
前記ファイル転送開始指示は、ファイル転送開始日時を有するスケジュール情報を更に有することを特徴とする請求項１２記載のネットワーク管理装置。
【請求項１４】
前記管理対象装置からのファイル転送開始応答の受信後に、ファイル転送状態の取得指令を、前記管理対象装置へ前記ネットワークを介して定期的に送出する手段と、
を更に含むことを特徴とする請求項１２または１３記載のネットワーク管理装置。
【請求項１５】
前記管理対象装置からのファイル転送開始通知を受信後に、前記ファイル転送開始指示を前記管理対象装置へ送出することを特徴とする請求項１２〜１４いずれか記載のネットワーク管理装置。
【請求項１６】
前記ファイルサーバを含むことを特徴とする請求項１２〜１５いずれか記載のネットワーク管理装置。
【請求項１７】
ネットワーク管理装置により管理され、ファイルサーバとの間でネットワークを介してファイル転送をなすようにした管理対象装置であって、
前記ネットワーク管理装置からのファイル転送開始指示の受信に応答して前記指示により指定された内容に従って前記ファイルサーバとの間でファイルの転送をなす手段を含むことを特徴とする管理対象装置。
【請求項１８】
ファイル転送開始通知を、前記管理装置へ前記ネットワークを介して送出する手段を更に含み、前記ファイル転送開始通知に応答して前記管理装置から送出された前記ファイル転送開始指示を受信後に前記ファイル転送をなすようにしたことを特徴とする請求項１７記載の管理対象装置。
【請求項１９】
前記ファイル転送成功時にその旨を示す応答を、前記管理装置へ前記ネットワークを介して送出する手段を更に含むことを特徴とする請求項１７または１８記載の管理対象装置。
【請求項２０】
ファイルサーバと管理対象装置との間でネットワークを介してファイル転送をなすようにしたネットワーク管理システムにおけるネットワーク管理装置の動作をコンピュータに実行させるためのプログラムであって、
前記ファイルサーバのアドレス、対象ファイル名、アップロード／ダウンロードの指定を、少なくとも有するファイル転送開始指示を、前記管理対象装置へ前記ネットワークを介して送出する処理を含むことを特徴とするプログラム。
【請求項２１】
ネットワーク管理装置により管理され、ファイルサーバとの間でネットワークを介してファイル転送をなすようにした管理対象装置の動作をコンピュータに実行させるためのプログラムであって、
前記ネットワーク管理装置からのファイル転送開始指示の受信に応答して前記指示により指定された内容に従って前記ファイルサーバとの間でファイルの転送をなす処理を含むことを特徴とするプログラム。
【発明の詳細な説明】
【技術分野】
【０００１】
本発明はファイル転送システム及びその方法並びにネットワーク管理装置及び管理対象装置に関し、特にネットワーク管理装置と、ファイルサーバと、管理対象装置とがネットワークにより相互接続されたネットワーク管理システムにおけるファイル転送方式に関するものである。
【背景技術】
【０００２】
ファイル転送方式の例として、ＳＮＭＰ（Simple Network Management Protocol）を用いたファイル転送方式があり、この方式は、ＮＭＳ（Network Management System ：ネットワーク管理装置）と管理されるべき被管理対象装置（以下、簡単化のために、単に管理対象装置と称す）との間で、通信網である例えばＩＰ（Internet Protocol ）ネットワークを介して、ファイルを転送するものである。このようなファイル転送方式の関連技術として、特許文献１，２などに記載の技術がある。
【０００３】
【特許文献１】特開２００２−３６８７４５号公報
【特許文献２】特開平７−０６４６６３号公報
【発明の開示】
【発明が解決しようとする課題】
【０００４】
従来技術には、次のような問題点があった。第１の問題点は、ＮＭＳと管理対象装置間のファイル転送方式では、人為的なミスや全ての管理対象装置に対するファイル転送に要する時間が膨大になってしまうということである。その理由は、管理対象装置毎にファイル転送の際に伴うパラメータ（サーバＩＰアドレス、転送ファイル名）の指定を、その都度手動で行うか、あるいは管理対象装置内で予め定められたパラメータを利用するしかできないからである。
【０００５】
第２の問題点は、ＮＭＳと管理対象装置間のファイル転送方式では、同時に複数の管理対象装置がファイル転送処理を行うことができないということである。その理由は、管理対象装置からのオペレータによる手動操作を契機として、ファイル転送を開始するようになっているからである。
【０００６】
第３の問題点は、ＮＭＳと管理対象装置間のファイル転送方式では、柔軟性に欠けるという問題があった。その理由は、管理対象装置内で予め定められたパラメータを利用する場合には、パラメータの内容が固定されているからである。
【０００７】
なお、特許文献１においては、ＳＮＭＰにより管理されるネットワークにおいて、大規模なデータの通信を行う方式が開示されているが、概要情報ファイル、詳細情報ファイルといった、予め定められたファイルの転送方式であり、上記の第３の問題を解決するものではない。また、特許文献１においては、ネットワーク内のマネージャがエージェントからの課金データを効率よく制御、監視および受信するシステムを提供する方法が開示されているが、転送ファイルが課金データに予め指定されており、やはり上記り第３の問題を解決するものではない。
【０００８】
本発明の目的は、複数の管理対象装置が同時にファイルサーバとの間でファイルをダウンロードしたりアップロードすることが可能なファイル転送システム及びその方法を提供することである。
本発明の他の目的は、人為的なミスをなくし、また柔軟性に富んだファイル転送システム及びその方法を提供することである。
【課題を解決するための手段】
【０００９】
本発明によるファイル転送システムは、ネットワーク管理装置と、ファイルサーバと、管理対象装置とがネットワークにより相互接続されたネットワーク管理システムにおけるファイル転送システムであって、前記ネットワーク管理装置において、ファイル転送開始指示を送出する手段と、前記管理対象装置において、前記ファイル転送開始指示の受信に応答して前記指示により指定された内容に従って前記ファイルサーバとの間でファイルの転送をなす手段と含むことを特徴とする。
【００１０】
本発明によるファイル転送方法は、ネットワーク管理装置と、ファイルサーバと、管理対象装置とがネットワークにより相互接続されたネットワーク管理システムにおけるファイル転送方法であって、前記ネットワーク管理装置において、ファイル転送開始指示を送出するステップと、前記管理対象装置において、前記ファイル転送開始指示の受信に応答して前記指示により指定された内容に従って前記ファイルサーバとの間でファイルの転送をなすステップとを含むことを特徴とする。
【００１１】
本発明による管理装置は、ファイルサーバと管理対象装置との間でネットワークを介してファイル転送をなすようにしたネットワーク管理システムにおけるネットワーク管理装置であって、前記ファイルサーバのアドレス、対象ファイル名、アップロード／ダウンロードの指定を、少なくとも有するファイル転送開始指示を、前記管理対象装置へ前記ネットワークを介して送出する手段を含むことを特徴とする。
【００１２】
本発明による管理対象装置は、ネットワーク管理装置により管理され、ファイルサーバとの間でネットワークを介してファイル転送をなすようにした管理対象装置であって、前記ネットワーク管理装置からのファイル転送開始指示の受信に応答して前記指示により指定された内容に従って前記ファイルサーバとの間でファイルの転送をなす手段を含むことを特徴とする。
【００１３】
本発明によるプログラムは、ファイルサーバと管理対象装置との間でネットワークを介してファイル転送をなすようにしたネットワーク管理システムにおけるネットワーク管理装置の動作をコンピュータに実行させるためのプログラムであって、前記ファイルサーバのアドレス、対象ファイル名、アップロード／ダウンロードの指定を、少なくとも有するファイル転送開始指示を、前記管理対象装置へ前記ネットワークを介して送出する処理を含むことを特徴とする。
【００１４】
本発明による他のプログラムは、ネットワーク管理装置により管理され、ファイルサーバとの間でネットワークを介してファイル転送をなすようにした管理対象装置の動作をコンピュータに実行させるためのプログラムであって、前記ネットワーク管理装置からのファイル転送開始指示の受信に応答して前記指示により指定された内容に従って前記ファイルサーバとの間でファイルの転送をなす処理を含むことを特徴とする。
【００１５】
本発明の作用を述べる。ＮＭＳが複数の管理対象装置を管理する際に伴う、ソフトウェアやログファイルなど、種々のファイルを転送する場合に、ファイル転送に必要な全てのパラメータ情報（サーバＩＰアドレス、転送ファイル名など）をＮＭＳ側から指示するようにし、また複数の管理対象装置に対して同時にファイル転送を行うようにする。
【００１６】
具体的には、本発明による第１のファイル転送方式は、管理対象装置が、ＮＭＳからのファイル転送開始指示に応答して、指定された内容に従ってファイルサーバに対して指定ファイルのダウンロードやアップロードを行う。ＮＭＳは管理対象装置からのファイル転送開始指示応答を受信して、ファイル転送状態取得を定期的に送信し、管理対象装置からのファイル転送状態取得応答の内容が成功を意味するものである場合には、ファイル転送成功と判断する。
【００１７】
本発明による第２のファイル転送方式は、ＮＭＳが、管理対象装置からのダウンロードやアップロード指定を含むファイル転送開始通知に応答して、ファイル転送処理を開始する。ＮＭＳは、ファイル転送開始通知の内容に従ってファイル転送開始指示を管理対象装置に通知する。以後の処理は、上記の第１のファイル転送方式と同様である。このように構成することにより、上記目的を達成することができる。
【発明の効果】
【００１８】
本発明による第１の効果は、ＮＭＳからの指示を契機に、複数の管理対象装置が同時にファイルサーバからファイルをダウンロード、アップロードすることができることである。その理由は、ＮＭＳからＳＮＭＰを利用してファイル転送に必要な情報を複数の管理対象装置に同時に伝えることができるため、それぞれの管理対象装置でファイルサーバに接続できるからである。
【００１９】
本発明による第２の効果は、ＮＭＳから管理対象装置がファイルサーバからファイルをダウンロードするのか、アップロードするのかを指定することができることである。その理由は、ＮＭＳから管理対象装置に送信するファイル転送開始指示メッセージにファイル転送のタイプを指定できるからである。
【００２０】
本発明による第３の効果は、ＮＭＳから管理対象装置がファイルサーバからファイル転送の対象となるファイル及びパスを指定することができることである。その理由は、ＮＭＳから管理対象装置に送信するファイル転送開始指示メッセージにファイル転送の対象となるファイル名、パス名を指定できるからである。
【００２１】
本発明による第４の効果は、管理対象装置からのファイル転送開始通知によってファイル転送を開始できることである。その理由は、管理対象装置からＮＭＳに対してダウンロードまたはアップロードを要求するファイル転送開始通知として“ＳＮＭＰ  Ｔｒａｐ”を送信でき、ＮＭＳがファイル転送開始通知を受信後、設定ファイルからファイル転送情報を読取り、ファイル転送を開始できるからである。
【発明を実施するための最良の形態】
【００２２】
以下に、図面を参照しつつ本発明の実施の形態について詳細に説明する。図１は本発明の実施の形態の概略システム構成図である。本実施の形態によるＳＮＭＰを利用したファイル転送方式は、ＳＮＭＰマネージャ１０２を搭載するＮＭＳ１０１と、ＦＴＰ（File Transfer Protocol）サーバ１０５を搭載するファイルサーバ１０４と、ＳＮＭＰエージェント１０７及びＦＴＰクライアント１０８をそれぞれ搭載する複数の管理対象装置１０６と、これらを相互接続するＩＰネットワーク１００とにより構成されている。
【００２３】
図２を参照すると、ＮＭＳ１０１は、ファイル転送に必要な情報をオペレータが入力するためのＧＵＩ（Graphical User Interface）２０９と、ＮＭＳ１０１本体の情報を管理するＮＭＳ情報管理部２０１と、ＮＭＳ情報管理部２０１から指示されＳＮＭＰ  ＰＤＵ（Protocol Data Unit）を作成するＳＮＭＰ  ＰＤＵ作成部２０２と、ＳＮＭＰ  ＰＤＵ作成部２０２が作成したＰＤＵ（Set Request ，Get Request ）を送信するＳＮＭＰ  ＰＤＵ送信部２０３と、実際のＳＮＭＰ  ＰＤＵをSet Request ，Ge tRequest としてＩＰネットワーク１００に送出するＬＡＮ  Ｉ／Ｆ２０７と、ファイル転送に必要な情報を保管する設定ファイル２１０とを有している。
【００２４】
更に、ＮＭＳ１０１は、ＩＰネットワーク１００からのＳＮＭＰ  ＰＤＵを、ＬＡＮ／ＩＦ２０７を介して受信するＳＮＭＰ  ＰＤＵ受信部２０５と、同じくＳＮＭＰ  Ｔｒａｐを受信するＳＮＭＰ  Ｔｒａｐ受信部２０６と、これらＳＮＭＰ  ＰＤＵやＳＮＭＰ  Ｔｒａｐを入力として解析処理を行うＳＮＭＰ  ＰＤＵ解析処理部２０４と、設定ファイル２１０とを有している。
【００２５】
図３を参照すると、ファイルサーバ１０４はＦＴＰサーバ３０１と、管理対象装置１０６にダウンロードするダウンロードファイルを保管してあるＨＤＤ（ハードディスク）ダウンロードファイル３０２と、ＩＰネットワーク１００とＦＴＰメッセージの送受信を行うＬＡＮ  Ｉ／Ｆ３０３とから構成される。
【００２６】
図４を参照すると、管理対象装置１０６は、ＩＰネットワーク１００からのメッセージを送受信するＬＡＮ  Ｉ／Ｆ４０７と、ＬＡＮ  Ｉ／Ｆ４０７からＳＮＭＰ  ＰＤＵ（Set Request ，Get Request ）を受信するＳＮＭＰ  ＰＤＵ受信部４０５と、ＳＮＭＰ  ＰＤＵ受信部４０５が受信したＳＮＭＰ  ＰＤＵ（Set Request ，Get Request ）を解析するＳＮＭＰ  ＰＤＵ解析処理部４０４と、ＳＮＭＰ  ＰＤＵ解析処理部４０４が解析した内容を処理するデータ処理部４０１と、データ処理部４０１が処理したデータを保管するメモリまたはハードディスク（ＨＤＤ）４０８を有する。
【００２７】
更に、管理対象装置１０６は、データ処理部４０１がデータを処理した後に、応答用のＳＮＭＰ  ＰＤＵ（Get Response）を作成するＳＮＭＰ  ＰＤＵ作成部４０２と、ＳＮＭＰ  ＰＤＵ作成部４０２が作成したＳＮＭＰ  ＰＤＵ（Get Response）を送信するＳＮＭＰ  ＰＤＵ送信部４０３と、データ処理部４０１が処理した内容に従ってダウンロード（FTP GET ）、アップロード（FTP PUT ）を行うＦＴＰクライアントプロトコル処理部４０６と、実際のＳＮＭＰ  ＰＤＵ（Get Response）またＦＴＰプロトコルに必要なメッセージをＩＰネットワーク１００に送出するＬＡＮ  Ｉ／Ｆ４０７とを有する。
【００２８】
図５を参照すると、ファイル転送処理に必要なＭＩＢ（Manegement Information Base ）オブジェクトはファイルサーバ１０４のＩＰアドレスを指定する“transfer Server Ip Address”と、転送ファイルをダウンロードまたはアップロードする際のファイルサーバ１０４の“ftp Root”ディレクトリからの相対パスを指定する“transfer File Path”と、転送ファイル名を指定する“transfer File Name”と、ファイルサーバ１０４のＦＴＰサーバに接続するために必要なユーザー名を指定した“transfer User Name”と、パスワードを指定した“transfer Password ”と、転送ファイルの種類（ａｓｃｉｉ，ｂｉｎａｒｙ）を指定した“transfer File Type”と、ファイルサーバ１０４と管理対象装置１０６間のファイル転送状態を示す“transfer Status ”と、管理対象装置１０６からファイルサーバ１０４へ転送ファイルをダウンロードするのかアップロードするのかを指定した“transfer Function Type”とから構成される。
【００２９】
図６を参照すると、ファイル転送処理に必要なＴｒａｐは、ファイルサーバ１０４と管理対象装置１０６間のファイル転送状態を示す“transfer Status ”と、管理対象装置１０６からファイルサーバ１０４へ転送ファイルをダウンロードするのかアップロードするのかを指定した“transfer Function Type”を含んだ“transfer Start Trap ”で定義される。
【００３０】
次に、図７及び図８および図９及び図１０のシーケンスチャート、図１１、図１２、図１３、図１４のコラボレーション図を参照して、本実施の形態の全体の動作について詳細に説明する。
【００３１】
図７において、ＮＭＳ１０１の指示によりファイルサーバ１０４から１台の管理対象装置１０６へのファイルダウンロード処理（FTP GET ）を開始している。ＮＭＳ１０１のＳＮＭＰマネージャ１０２は管理対象装置１０６のＳＮＭＰエージェント１０７に対して“transfer Server Ip Address”＝（ファイルサーバ１０４のＩＰアドレス）、“transfer File Path”＝（ＦＴＰサーバ１０５の“ftp Root  ”からのパス）、“transfer File Name”＝( 転送対象ファイル名）、“transfer User Name”＝（ＦＴＰサーバ１０５に接続するユーザー名）、“transfer User Password”＝（上記ユーザーのパスワード）、“transfer File Type”＝（転送ファイルのタイプ）、“transfer Function Type”＝download（１）を含むファイル転送開始指示７０１（Set Request ）を送信する。
【００３２】
ファイル転送開始指示７０１を受信した管理対象装置１０６のＳＮＭＰエージェント１０７は、管理対象装置１０６のＦＴＰクライアント１０８に対してダウンロード開始指示７０２を通知する。管理対象装置１０６のＦＴＰクライアント１０８は、ファイル転送開始指示７０１で指定されたファイルサーバ１０４（transfer Server Ip Address）が有するＦＴＰサーバ１０５のＦＴＰポートに対して接続を試みる。
【００３３】
管理対象装置１０６のＦＴＰクライアント１０８とファイルサーバ１０４のＦＴＰサーバ１０５間のＦＴＰ接続が成功した場合（７０３）には、“transfer File Type”で指定されている転送ファイルのタイプによって転送モードを設定し、“transfer File Path”で指定されているパスから“transfer File Name”で指定されている転送対象ファイルのFTP GET を開始（７０４）する。
【００３４】
FTP GET が開始された後、管理対象装置１０６のＦＴＰクライアント１０８は管理対象装置１０６のＳＮＭＰエージェント１０７に対してダウンロード開始応答７０５を通知し、管理対象装置１０６のＳＮＭＰエーシェント１０７は、ファイル転送開始指示７０１（Set Request ）に対するファイル転送開始指示応答７０６（Get Response）をＮＭＳ１０１のＳＮＭＰマネージャ１０２に返信する。
【００３５】
管理対象装置１０６のＦＴＰクライアント１０８とファイルサーバ１０４のＦＴＰサーバ１０５間でFTP GET(継続）７０７が行われている間、ＮＭＳ１０１のＳＮＭＰマネージャ１０２は管理対象装置１０６のＳＮＭＰエージェント１０７に対して定期的にファイル転送状態取得７０８（Get Request ）を送信する。管理対象装置１０６のＳＮＭＰエージェント１０７は、管理対象装置１０６のＦＴＰクライアント１０８からダウンロード終了通知７１１を受信するまで、ファイル転送状態取得応答７０９（Get Response）の“transfer Status ”を処理中を示す“processing”に設定し、ＮＭＳ１０１のＳＮＭＰマネーシャ１０２に返信する。
【００３６】
管理対象装置１０６のＦＴＰクライアント１０８がファイルサーバ１０４のＦＴＰサーバ１０５に対してFTP GET （終了）を送信した後、管理対象装置１０６のＦＴＰクライアント１０８は管理対象装置１０６のＳＮＭＰエージェント１０７に対してダウンロード終了通知７１１を送信する。
【００３７】
管理対象装置１０６のＦＴＰクライアント１０８からダウンロード終了通知（７１１）を受信後、管理対象装置１０６のＳＮＭＰエージェント１０７はＮＭＳ１０１のＳＮＭＰマネージャ１０２からのファイル転送状態取得７１２（Get Request ）に対するファイル転送状態取得応答７１３（Get Response）には“transfer Status ”を“success ”に設定してＮＭＳ１０１のＳＮＭＰマネージャ１０２に返信する。“transfer Status ”が成功を示す“success ”であるファイル転送状態取得応答７１３（Get Response）を受信したＮＭＳ１０１のＳＮＭＰマネージャ１０２は、ファイルサーバ１０４から管理対象装置１０６へのファイルダウンロード処理が完了したと判断する。
【００３８】
図８を参照すると、ＮＭＳ１０１の指示により、１台の管理対象装置１０６からファイルサーバ１０４へのファイルアップロード処理を開始している。ＮＭＳ１０１のＳＮＭＰマネージャ１０２は管理対象装置１０６のＳＮＭＰエージェント１０７に対して“transfer Server Ip Address”＝（ファイルサーバ１０４のＩＰアドレス）、“transfer File Path”＝（ＦＴＰサーバ１０５のftp Root  からのパス）、“transfer File Name”＝（転送対象ファイル名）、“transfer User Name”＝（ＦＴＰサーバ１０５に接続するユーザー名）、“transfer User Password”＝（上記ユーザーのパスワード）、“transfer File Type”＝（転送ファイルのタイプ）、“transfer Function Type”＝upload（２）を含むファイル転送開始指示８０１（Set Request ）を送信する。
【００３９】
ファイル転送開始指示８０１を受信した管理対象装置１０６のＳＮＭＰエージェント１０７は、管理対象装置１０６のＦＴＰクライアント１０８に対してアップロード開始指示８０２を通知する。管理対象装置１０６のＦＴＰクライアント１０８は、ファイル転送開始指示８０１で指定されたファイルサーバ１０４（transfer Server Ip Address）が有するＦＴＰサーバ１０５のＦＴＰポートに対して接続を試みる（８０３）。管理対象装置１０６のＦＴＰクライアント１０８とファイルサーバ１０４のＦＴＰサーバ１０５間のＦＴＰ接続が成功した場合には、“transfer File Type”で指定されている転送ファイルのタイプによって転送モードを設定し、“transfer File Path”で指定されているパスへ“transfer File Name”で指定されている転送対象ファイルの“FTP PUT ”を開始（８０４）する。
【００４０】
“FTP PUT ”が開始された後、管理対象装置１０６のＦＴＰクライアント１０８は管理対象装置１０６のＳＮＭＰエージェント１０７に対してアップロード開始応答８０５を通知し、管理対象装置１０６のＳＮＭＰエージェント１０７は、ファイル転送開始指示８０１（Set Request ）に対するファイル転送開始指示応答８０６（Get Response）をＮＭＳ１０１のＳＮＭＰマネージャ１０２に返信する。
【００４１】
管理対象装置１０６のＦＴＰクライアント１０８とファイルサーバ１０４のＦＴＰサーバ１０５間で“FTP PUT ”（継続）（８０７）が行われている間、ＮＭＳ１０１のＳＮＭＰマネージャ１０２は管理対象装置１０６のＳＮＭＰエージェント１０７に対して定期的にファイル転送状態取得８０８（Get Request ）を送信する。
【００４２】
管理対象装置１０６のＳＮＭＰエージェント１０７は、管理対象装置１０６のＦＴＰクライアント１０８からアップロード終了通知８１１を受信するまで、ファイル転送状態取得応答８０９（Get Response）の“transfer Status ”を処理中を示す“processing”に設定し、ＮＭＳ１０１のＳＮＭＰマネージャ１０２に返信する。管理対象装置１０６のＦＴＰクライアント１０８がファイルサーバ１０４のＦＴＰサーバ１０５に対して“FTP PUT ”（終了）を送信した後、管理対象装置１０６のＦＴＰクライアント１０８は管理対象装置１０６のＳＮＭＰエージェント１０７に対してアップロード終了通知８１１を送信する。
【００４３】
管理対象装置１０６のＦＴＰクライアント１０８からアップロード終了通知８１１を受信後、管理対象装置１０６のＳＮＭＰエージェント１０７はＮＭＳ１０１のＳＮＭＰマネージャ１０２からのファイル転送状態取得８１２（Get Request ）に対するファイル転送状態取得応答８１３（Get Response）には“transfer Status ”を成功を示す“success ”に設定してＮＭＳ１０２のＮＭＳ１０１のＳＮＭＰマネージャ１０２に返信する。“transfer Status ”が“success ”であるファイル転送状態取得応答８１３（Get Response）を受信したＮＭＳ１０１のＳＮＭＰマネージャ１０２は、管理対象装置１０６からファイルサーバ１０４へのファイルアップロード処理が完了したと判断する。
【００４４】
図９を参照すると、１台の管理対象装置１０６からＮＭＳ１０１のＳＮＭＰマネージャ１０２へファイル転送開始通知９０２（SNMP Trap ）＝download（１）を送信することによって、ファイルサーバ１０４から管理対象装置１０６へのファイルダウンロード処理を開始している。管理対象装置１０６は起動後（９０１）、ファイルダウンロードを実施したい場合には、“tansfer Function Type ”を“download（１）”に設定したファイル転送開始通知９０２（SNMP Trap ）をＮＭＳ１０１のＳＮＭＰマネージャ１０２に送信することができる。
【００４５】
“tansfer Function Type ”が“download（１）”であるファイル転送開始通知９０２（SNMP Trap ）を受信したＮＭＳ１０１のＳＮＭＰマネージャ１０２は管理対象装置１０６のＳＮＭＰエージェント１０７に対して“transfer Server Ip Address”＝（ファイルサーバ１０４のＩＰアドレス）、“transfer File Path”＝（ＦＴＰサーバ１０５の“ftp Root”からのパス）、“transfer File Name”＝（転送対象ファイル名）、“transfer User Name”＝（ＦＴＰサーバ１０５に接続するユーザー名）、“transfer User Password”＝（上記ユーザーのパスワード）、“transfer File Type”＝（転送ファイルのタイプ）、“transfer Function Type”＝“download（１）”を含むファイル転送開始指示７０１（Set Request ）を送信する。以降の処理は図７の処理と同一である。
【００４６】
図１０を参照すると、１台の管理対象装置１０６からＮＭＳ１０１のＳＮＭＰマネージャ１０２へファイル転送開始通知１００２（SNMP Trap ）＝“upload”を送信することによって、管理対象装置１０６からファイルサーバ１０４へのファイルアップロード処理を開始している。
【００４７】
管理対象装置１０６は起動後（１００１）、ファイルアップロードを実施したい場合には、“tansfer Function Type ”を“upload（２）”に設定したファイル転送開始通知１００２（SNMP Trap ）をＮＭＳ１０１のＳＮＭＰマネージャ１０２に送信することができる。
【００４８】
“tansfer Function Type ”が“upload（２）”であるファイル転送開始通知１００２（SNMP Trap ）を受信したＮＭＳ１０１のＳＮＭＰマネージャ１０２は管理対象装置１０６のＳＮＭＰエージェント１０７に対して“transfer Server Ip Address”＝（ファイルサーバ１０４のＩＰアドレス）、“transfer File Path”＝（ＦＴＰサーバ１０５の“ftp Root”からのパス）、“transfer File Name”＝（転送対象ファイル名）、“transfer User Name”＝（ＦＴＰサーバ１０５に接続するユーザー名）、“transfer User Password”＝（上記ユーザーのパスワード）、“transfer File Type”＝（転送ファイルのタイプ）、“transfer Function Type”＝“upload（２）”を含むファイル転送開始指示７０１（Set Request ）を送信する。以降の処理は図８の処理と同じである。
【００４９】
図１１を参照すると、図７において説明したファイル転送開始指示７０１をＮＭＳ１０１から送信し、ファイル転送開始指示応答７０６を管理対象装置１０６から受信した際のＮＭＳ１０１の内部の動作について示している。ＧＵＩ２０９からファイル転送開始指示７０１に必要な「ファイルサーバ１０４のＩＰアドレス」、「ＦＴＰサーバ１０５の“ftp Root”からのパス」、「転送対象ファイル名」、「ＦＴＰサーバ１０５に接続するユーザー名」、「上記ユーザーのパスワード」、「転送ファイルのタイプ」、「ダウンロード・アップロード指示」を入力する（１１０１）。
【００５０】
ＧＵＩ２０９は入力されたこれらの情報をファイル転送開始ＰＤＵ作成指示１１０１として、ＳＮＭＰ  ＰＤＵ作成部２０２へ通知する。ＳＮＭＰ  ＰＤＵ作成部２０２はファイル転送開始指示７０１のＰＤＵを作成し、ＳＮＭＰ  ＰＤＵ送信部へファイル転送開始指示ＰＤＵ送信指示１１０２を通知する。ＳＮＭＰ  ＰＤＵ送信部２０３はファイル転送開始指示７０１を“Set Request ”としてＬＡＮ  Ｉ／Ｆ２０７へ送信する。ＬＡＮ  Ｉ／Ｆ２０７は“Set Request ”（ファイル転送開始指示７０１）をＩＰネットワーク１００へと送出する。
【００５１】
ＳＮＭＰ  ＰＤＵ受信部２０５は、上記ファイル転送開始指示７０１に対する応答であるファイル転送開始応答ＰＤＵを“Get Response”として受信する（１１０５）。ＳＮＭＰ  ＰＤＵ受信部２０５はファイル転送開始応答ＰＤＵの解析をＳＮＭＰ  ＰＤＵ解析処理部２０６にファイル転送開始応答ＰＤＵ解析指示１１０６を送信することによって依頼する。ＳＮＭＰ  ＰＤＵ解析処理部２０６は解析した内容をファイル転送開始応答結果通知１１０７としてＮＭＳ情報管理部２０１に送信する。
【００５２】
ＮＭＳ情報管理部２０１はファイル転送開始応答結果が正常である場合、ＧＵＩ２０９から入力した「ファイルサーバ１０４のＩＰアドレス」、「ＦＴＰサーバ１０５の“ftp Root”からのパス」、「転送対象ファイル名」、「ＦＴＰサーバ１０５に接続するユーザー名」、「上記ユーザーのパスワード」、「転送ファイルのタイプ」、「ダウンロード・アップロード指示」を設定ファイル２１０に保存する（ファイル転送情報保存１１０８）。ＮＭＳ情報管理部２０１はファイル転送情報を設定ファイル２１０に保存後、定期的にファイル転送状態を取得するためにタイマ２０８にタイマ開始通知１１０９を送信する。タイマ２０８はタイマ開始通知１１０９を受信後、始動する。
【００５３】
図１２を参照すると、定期的にＮＭＳ１０１が管理対象装置１０６に対してファイル転送状態を問い合わせる際のＮＭＳ１０１の内部の動作について示している。図１１において、タイマ２０８は定期的にファイル転送状態を取得するためタイマ駆動となっている。タイマ２０８は定期的にタイムアウト通知１２０１をＮＭＳ情報管理部２０１に通知する。タイムアウト通知１２０１を受信したＮＭＳ情報管理部２０１は、管理対象装置１０６からファイル転送状態を取得するため、ファイル転送状態取得ＰＤＵ作成指示１２０２をＳＮＭＰ  ＰＤＵ作成部２０２に送信する。ＳＮＭＰ  ＰＤＵ作成部２０２は、管理対象装置１０６から“transfer Status ”を取得するためのＰＤＵを作成し、ＳＮＭＰ  ＰＤＵ送信部２０３にファイル転送状態取得ＰＤＵ送信指示１２０３を通知する。
【００５４】
ＳＮＭＰ  ＰＤＵ送信部２０３はＳＮＭＰ  ＰＤＵ作成部２０２が作成したＰＤＵを“Get Request ”としてＬＡＮ  Ｉ／Ｆ２０７から送出するためファイル転送状態取得ＰＤＵ送信１２０４ＬＡＮ  Ｉ／Ｆ２０７に通知する。ＳＮＭＰ  ＰＤＵ受信部２０５は、上記ファイル転送状態取得に対する応答であるファイル転送状態取得応答ＰＤＵを“Get Response”として受信（１２０５）する。ＳＮＭＰ  ＰＤＵ受信部２０５はファイル転送状態取得応答ＰＤＵの解析をＳＮＭＰ  ＰＤＵ解析処理部２０４にファイル転送状態取得応答ＰＤＵ解析指示（１２０６）を送信することによって依頼する。
【００５５】
ＳＮＭＰ  ＰＤＵ解析処理部２０４は解析した内容をファイル転送状態取得応答結果通知１２０７としてＮＭＳ情報管理部２０１に送信する。ＮＭＳ情報管理部２０１はファイル転送状態取得応答結果が正常かつ“transfer Status ”が“success （３）”である場合、ファイル転送状態取得を停止するため、タイマ２０８にタイマ停止通知１２０８を送信する。タイマ２０８はタイマ停止通知１２０８を受信後停止する。ＮＭＳ情報管理部２０１はファイル転送状態取得応答結果が正常かつ“transfer Status ”が“processing（２）”である場合、次のファイル転送状態取得処理を行うため、タイマ２０８からのタイムアウト通知１２０１を待つ。
【００５６】
以降、ＮＭＳ情報管理部２０１はファイル転送状態取得応答結果が正常かつ“transfer Status ”が“success(３）”となるまで、タイムアウト通知１２０１からファイル転送状態取得応答結果通知１２０７までの処理を定期的に行う。
【００５７】
図１３を参照すると、ＮＭＳ１０１が管理対象装置１０６からのＴｒａｐを契機にファイル転送処理を開始する際のＮＭＳ１０１の内部の動作について示している。管理対象装置１０６が送信したファイル転送開始通知ＴｒａｐはＬＡＮ  Ｉ／Ｆを経由してファイル転送開始通知Ｔｒａｐ  ＰＤＵ受信（１３０１）としてＳＮＭＰ  Ｔｒａｐ受信部２０６が受信する。ファイル転送開始通知Ｔｒａｐ  ＰＤＵ受信（１３０１）を受け取ったＳＮＭＰ  Ｔｒａｐ受信部２０６は、ＳＮＭＰ  ＰＤＵ解析処理部２０４にファイル転送開始通知Ｔｒａｐ  ＰＤＵ解析指示１３０２を送信することによって、Ｔｒａｐ  ＰＤＵの解析を依頼する。
【００５８】
ＳＮＭＰ  ＰＤＵ解析処理部２０４は、受信したファイル転送開始通知Ｔｒａｐ  ＰＤＵ解析指示１３０２によりＴｒａｐ  ＰＤＵを解析し、“transfer Function Type”を含んだファイル転送開始指示７０１をＮＭＳ情報管理部２０１に送信する。ＮＭＳ情報管理部２０１は“transfer Function Type”が“download（１）”の場合は、ダウンロード処理を開始し、“transfer Function Type”が“upload（２）”の場合はアップロード処理を開始する。
【００５９】
ＮＭＳ情報管理部２０１は設定ファイル２１０からファイル転送に必要な「ファイルサーバ１０４のＩＰアドレス」、「ＦＴＰサーバ１０５の“ftp Root”からのパス」、「転送対象ファイル名」、「ＦＴＰサーバ１０５に接続するユーザー名」、「上記ユーザーのパスワード」、「転送ファイルのタイプ」の情報を読み込む（１３０４）。このとき、「ダウンロード・アップロード指示」には、“transfer Function Type”で指定された値を設定する。ＮＭＳ情報管理部２０１は読み込んだファイル転送情報をもとにＳＮＭＰ  ＰＤＵ作成部２０２にファイル転送開始指示ＰＤＵ作成依頼指示１１０２を送信し、ファイル転送処理を開始する。以降の処理は、図１１の処理と同一である。
【００６０】
図１４を参照すると、ファイル転送開始指示７０１をＮＭＳ１０１から受信し、ファイル転送処理を開始する際の管理対象装置１０６内部の動作について示している。ＳＮＭＰ  ＰＤＵ受信部４０５は、ＬＡＮ  Ｉ／Ｆ４０７からファイル転送処理に必要な「ファイルサーバ１０４のＩＰアドレス」、「ＦＴＰサーバ１０５の“ftp Root”からのパス」、「転送対象ファイル名」、「ＦＴＰサーバ１０５に接続するユーザー名」、「上記ユーザーのパスワード」、「転送ファイルのタイプ」、「ダウンロード・アップロード指示」を含んだファイル転送開始指示ＰＤＵ受信（１４０１）を受け取る。
【００６１】
ＳＮＭＰ  ＰＤＵ受信部４０５はファイル転送開始指示（７０１）ＰＤＵの解析をＳＮＭＰ  ＰＤＵ解析処理部４０４にファイル転送開始指示ＰＤＵ解析指示１４０２を送信することによって依頼する。ＳＮＭＰ  ＰＤＵ解析処理部４０４は解析した内容をファイル転送開始指示７０１解析結果通知としてデータ管理部４０１に送信する。
【００６２】
データ管理部４０１は解析結果に含まれる「ファイルサーバ１０４のＩＰアドレス」、「ＦＴＰサーバ１０５の“ftp Root”からのパス」、「転送対象ファイル名」、「ＦＴＰサーバ１０５に接続するユーザー名」、「上記ユーザーのパスワード」、「転送ファイルのタイプ」、「ダウンロード・アップロード指示」の情報をＦＴＰクライアント１０８プロトコル処理部にＦＴＰ開始指示１４０４として送信する。
【００６３】
データ管理部４０１はＦＴＰクライアントプロトコル処理部４０６にＦＴＰ開始指示１４０４を送信後、“transfer Status ”を“processing（２）”とする。ＦＴＰクライアントプロトコル処理部４０６は受け取った情報を基に、ＬＡＮ  Ｉ／Ｆ４０７にＦＴＰポートオープン＆認証開始１４０５を送信し、ＦＴＰサーバ１０５との接続を開始する。ＦＴＰクライアントプロトコル処理部４０６は、ＦＴＰサーバ１０５からの応答をＦＴＰポートオープン＆認証完了（１４０６）としてＬＡＮ  Ｉ／Ｆ４０７経由で受け取る。ＦＴＰクライアントプロトコル処理部４０６は、ＦＴＰ接続が完了したことをＦＴＰ開始完了（１４０７）としてデータ管理部４０１に通知する。
【００６４】
データ管理部４０１は、ファイル転送開始指示応答ＰＤＵ作成（１４０８）をＳＮＭＰ  ＰＤＵ作成部４０２に送信し、ファイル転送開始指示応答ＰＤＵの作成を依頼する。ＳＮＭＰ  ＰＤＵ作成部４０２はファイル転送開始指示応答ＰＤＵを作成し、ファイル転送開始指示応答ＰＤＵ送信指示１４００をＳＮＭＰ  ＰＤＵ送信部４０３に送信する。ＳＮＭＰ  ＰＤＵ送信部４０３はファイル転送開始指示応答ＰＤＵ送信（１４１０）をＬＡＮ  Ｉ／Ｆ４０７に送信することにより、ファイル転送開始指示応答７０６を“Get Response”としてＮＭＳ１０１に戻す。
【００６５】
図１５を参照すると、定期的にＮＭＳ１０１から管理対象装置１０６に対してファイル転送状態を問い合わせてくる際の管理対象装置１０６内部の動作について示している。ＳＮＭＰ  ＰＤＵ受信部４０５は、ファイル転送状態取得をファイル転送状態取得ＰＤＵ受信（１５０１）としてＬＡＮ  Ｉ／Ｆ４０７から受信する。ＳＮＭＰ  ＰＤＵ受信部４０５は、ファイル転送状態取得ＰＤＵ受信（１５０１）の解析を、ＳＮＭＰ  ＰＤＵ解析処理部４０５にファイル転送状態取得ＰＤＵ解析指示１５０２を送信することによって依頼する。ＳＮＭＰ  ＰＤＵ解析処理部４０５は解析した内容をファイル転送状態取得結果通知１５０４としてデータ管理部４０１に送信する。
【００６６】
データ管理部４０１）は“transfer Status ”の値を含んだファイル転送状態取得応答ＰＤＵ作成指示１５０５をＳＮＭＰ  ＰＤＵ作成部４０２に送信し、ファイル転送状態取得応答ＰＤＵの作成を依頼する。ＳＮＭＰ  ＰＤＵ作成部４０２はファイル転送状態取得応答ＰＤＵを作成し、ＳＮＭＰ  ＰＤＵ送信部４０３にファイル転送状態取得応答ＰＤＵ送信指示１５０６を送信し、ファイル転送状態取得応答ＰＤＵの送信を指示する。ＳＮＭＰ  ＰＤＵ送信部４０３は、ファイル転送状態取得応答ＰＤＵを“Get Response”としてＮＭＳ１０１に戻すため、ＬＡＮ  Ｉ／Ｆ４０７にファイル転送状態取得応答ＰＤＵ送信（１５０７）を送出する。
【００６７】
ダウンロードの場合、ＦＴＰクライアントプロトコル管理部４０６は、ＦＴＰサーバ１０５とFTP GET （開始）、FTP GET （継続) （１５０１）を行っている。アップロードの場合、ＦＴＰクライアントプロトコル管理部は、ＦＴＰサーバ１０５とFTP PUT （開始）、FTP PUT （継続）（１５０１）を行っている。ＦＴＰクライアントプロトコル処理部４０６は、FTP GET(終了）、FTP PUT （終了）（１５０１）が成功した後、終了通知１５０８をデータ処理部４０１に送信する。データ処理部４０１は“transfer Status ”の値を“success （３）”とする。
【００６８】
図１６を参照すると、ＮＭＳ１０１と管理対象装置１０６間は複数のＳＮＭＰの通信を同時に行うことができることを示している（１６０１）。また、ファイルサーバ１０４と管理対象装置１０６間は複数のＦＴＰの通信を同時に行うことができることを示している（１６０２）。
【００６９】
次に、本発明の他の実の形態について図面を参照して詳細に説明する。図１７を参照すると、本例は、ＮＭＳ１０１は、ＳＮＭＰマネージャ１０２に加えて、図１のファイルサーバ１０４が有していたＦＴＰサーバ１０５を有しており、よってファイルサーバ１０４を省略することができる。
【００７０】
図１８は本実施の形態の動作シーケンス図を示している。図１８を参照すると、管理対象装置１０６のＦＴＰクライアント１０８は、ファイル転送開始指示（７０１）で指定されたＮＭＳ１０１が有するＦＴＰサーバ１０５のＦＴＰポートに対して接続を試みる。管理対象装置１０６のＦＴＰクライアント１０８とＮＭＳ１０１のＦＴＰサーバ１０５間のＦＴＰ接続が成功した場合には、“transfer File Type”で指定されている転送ファイルのタイプによって転送モードを設定し、“transfer File Path”で指定されているパスから“transfer File Name”で指定されている転送対象ファイルの“FTP GET ”を開始する（７０３，７０４）。
【００７１】
管理対象装置１０６のＦＴＰクライアント１０８がＮＭＳ１０１のＦＴＰサーバ１０５に対して“FTP GET ”（終了）を送信した後、管理対象装置１０６のＦＴＰクライアント１０８は管理対象装置１０６のＳＮＭＰエージェント１０７に対してダウンロード終了通知７１１を送信する。“transfer Status “が“success ”であるファイル転送状態取得応答７１３（Get Response）を受信したＮＭＳ１０１のＳＮＭＰマネージャ１０３は、ＮＭＳ１０１から管理対象装置１０６へのファイルダウンロード処理が完了したと判断する。
【００７２】
図１９は本発明の別の実施の形態を説明するものであり、本例は、ＮＭＳ１０１の内部にスケジューラ１８０１を加え、ＧＵＩ２０９ではファイル転送情報及びスケジュール情報を入力する（１１０１）。入力されたスケジュール情報は、設定ファイルに保存され（１８０２）、スケジューラ１８０１にスケジュール登録完了（１８０３）として通知される。スケジューラ１８０１はスケジュール情報に従って、ファイル転送開始する契機をＮＭＳ情報管理部２０１にスケジュール通知１８０４として送信する。
【００７３】
図２０を参照すると、設定ファイルには、スケジュール情報（ファイル転送開始日時、ファイル転送の対象となる管理対象装置の指定）が追加されている。
【００７４】
上記の処理動作は、予めその動作手順をＲＯＭなどの記録媒体にプログラムとして格納しておき、これをコンピュータにより読み取らせて実行させるようにすることができることは明白である。
【図面の簡単な説明】
【００７５】
【図１】本発明の実施の形態の概略システム構成図である。
【図２】ＮＭＳの構成を示す機能ブロック図である。
【図３】ファイルサーバの構成を示す機能ブロック図である。
【図４】管理対象装置の構成を示す機能ブロック図である。
【図５】本発明の実施の形態に用いるＭＩＢオブジェクトの例を示す図である。
【図６】本発明の実施の形態に用いるＴｒａｐの例を示す図である。
【図７】本発明の一実施の形態において、ファイルサーバからのファイルダウンロード時の動作シーケンス図である。
【図８】本発明の一実施の形態において、ファイルサーバへのファイルアップロード時の動作シーケンス図である。
【図９】本発明の他の実施の形態において、ファイルサーバからのファイルダウンロード時の動作シーケンス図である。
【図１０】本発明の他の実施の形態において、ファイルサーバへのファイルアップロード時の動作シーケンス図である。
【図１１】図７のシーケンス動作時のＮＭＳ１０１の内部動作の詳細を示す図である。
【図１２】ＮＭＳ１０１が管理対象装置１０６に対して定期的にファイル転送状態を問い合わせる際の、ＮＭＳ１０１の内部動作の詳細を示す図である。
【図１３】ＮＭＳ１０１が管理対象装置１０６からＴｒａｐを契機にファイル転送処理を開始する際のＮＭＳ１０１の内部動作の詳細を示す図である。
【図１４】ＮＭＳ１０１からファイル転送開始指示を受信してからファイル転送処理を開始する際の管理対象装置１０６の内部動作の詳細を示す図である。
【図１５】ＮＭＳ１０１から定期的にファイル転送状態を問い合わせてくる際の、管理対象装置１０６の内部動作の詳細を示す図である。
【図１６】ＮＭＳ１０１と複数の管理対象装置１０６とが同時に通信を行う場合の概念図である。
【図１７】本発明の他の実施の形態の概略システム構成図である。
【図１８】図１７の実施の形態の動作シーケンス図である。
【図１９】本発明の別の実施の形態におけるＮＭＳ１０１の内部動作の詳細を示す図である。
【図２０】図１９の実施の形態に用いるファイル転送情報の例を示す図である。
【符号の説明】
【００７６】
１００  ＩＰネットワーク
１０１  ＮＭＳ
１０２  ＳＮＭＰマネージャ
１０４  ファイルサーバ
１０５  ＦＴＰサーバ
１０６  （被）管理対象装置
１０７  ＳＮＭＰエージェント
１０８  ＦＴＰ  クライアント
【図１】
2006221291.tif 000003
【図２】
2006221291.tif 000004
【図３】
2006221291.tif 000005
【図４】
2006221291.tif 000006
【図５】
2006221291.tif 000007
【図６】
2006221291.tif 000008
【図７】
2006221291.tif 000009
【図８】
2006221291.tif 000010
【図９】
2006221291.tif 000011
【図１０】
2006221291.tif 000012
【図１１】
2006221291.tif 000013
【図１２】
2006221291.tif 000014
【図１３】
2006221291.tif 000015
【図１４】
2006221291.tif 000016
【図１５】
2006221291.tif 000017
【図１６】
2006221291.tif 000018
【図１７】
2006221291.tif 000019
【図１８】
2006221291.tif 000020
【図１９】
2006221291.tif 000021
【図２０】
2006221291.tif 000022